(57)【要約】【課題】電磁ノイズによる誤動作を防止できる調理器を提供する。【解決手段】静電容量式タッチパネルから成る操作部２６を備えた調理器１において、所定時間操作部２６の操作がない場合に操作部２６の操作を無効にするロックモードを設け、ロックモード時に、操作部２６に設けたロック解除エリア２６ｄを所定の解除時間よりも長く押し続けた際にロックモードを解除するとともに、解除時間よりも長い所定の制限時間よりも長くロック解除エリア２６ｄを押し続けた際にロックモードを継続する。【選択図】図５
2014014394.tif 000002
【特許請求の範囲】
【請求項１】
静電容量式タッチパネルから成る操作部を備えた調理器において、所定時間前記操作部の操作がない場合に前記操作部の操作を無効にするロックモードを設け、前記ロックモード時に、前記操作部に設けたロック解除エリアを所定の解除時間よりも長く押し続けた際に前記ロックモードを解除するとともに、前記解除時間よりも長い所定の制限時間よりも長く前記ロック解除エリアを押し続けた際に前記ロックモードを継続することを特徴とする調理器。
【請求項２】
電磁誘導加熱により調理物を加熱する加熱部を備えたことを特徴とする請求項１に記載の調理器。
【請求項３】
前記ロックモード時に前記制限時間よりも長く前記ロック解除エリアを押し続けた際に報知を行う報知部を設けたことを特徴とする請求項１または請求項２に記載の調理器。
【請求項４】
米及び水を入れた内釜を出し入れする開口部を上面に有し、前記開口部を開閉する蓋部の上面に前記操作部を配置したことを特徴とする請求項１〜請求項３のいずれかに記載の調理器。
【発明の詳細な説明】
【技術分野】
【０００１】
本発明は、静電容量式のタッチパネルを備えた調理器に関する。
【背景技術】
【０００２】
従来の調理器は特許文献１に開示されている。この調理器は炊飯器を構成し、蓋部により開閉される開口部を上面に有した本体部内に米及び水を入れる内釜が収納される。本体部内には内釜を加熱する加熱部が設けられ、加熱部の駆動により調理（炊飯）が行われる。本体部の外面には複数の操作キーを有する操作部が設けられる。操作部によって調理条件の設定や調理開始の指示が行われる。
【０００３】
上記構成の炊飯器において、米及び水を入れた内釜が本体部に収納され、蓋部が閉じられる。操作部の操作によって炊飯が開始されると加熱部によって内釜が加熱される。これにより、内釜内の水が沸騰して炊飯が行われ、所定時間が経過すると加熱部が停止される。
【０００４】
近年、操作部を静電容量式タッチパネルにより形成した調理器が知られている。静電容量式タッチパネルを用いると使用者が操作部に触れるだけで操作を行うことができるため、調理器の利便性を向上することができる。
【先行技術文献】
【特許文献】
【０００５】
【特許文献１】特開２０１１−２３９８７９号公報（第５頁−第９頁、第１図）
【発明の概要】
【発明が解決しようとする課題】
【０００６】
静電容量式タッチパネルは電磁ノイズの影響を受け易く、電磁ノイズによる誤動作が発生する虞がある。特に、電磁誘導により加熱するＩＨ炊飯器等の場合には電磁ノイズが発生し易く、静電容量式タッチパネルの誤動作が起こり易くなる。このため、所定条件で操作部の操作を無効にして操作の受け付けを禁止するロックモードが一般に設けられる。この時、電磁ノイズによる誤動作との判別を容易に行うことのできる操作部の長押し操作によってロックモードの解除が行われる場合が多い。
【０００７】
しかしながら、調理器は水に濡れる頻度が高く、静電容量式タッチパネルの操作部が水に濡れると長押し状態と判定する場合がある。このため、操作部上にかかった水によってロックモードが解除され、電磁ノイズによる誤動作が発生する問題があった。
【０００８】
本発明は、電磁ノイズによる誤動作を防止できる調理器を提供することを目的とする。
【課題を解決するための手段】
【０００９】
上記目的を達成するために本発明は、静電容量式タッチパネルから成る操作部を備えた調理器において、所定時間前記操作部の操作がない場合に前記操作部の操作を無効にするロックモードを設け、前記ロックモード時に、前記操作部に設けたロック解除エリアを所定の解除時間よりも長く押し続けた際に前記ロックモードを解除するとともに、前記解除時間よりも長い所定の制限時間よりも長く前記ロック解除エリアを押し続けた際に前記ロックモードを継続することを特徴としている。
【００１０】
この構成によると、静電容量式タッチパネルから成る操作部の操作によって調理操作が行われる。操作部の操作が所定時間行われずに放置されるとロックモードに移行する。ロックモードでは操作部の操作を無効にして操作の受け付けが禁止される。ロックモードで操作部に設けたロック解除エリアが解除時間よりも長く長押しされるとロックモードが解除され、操作部の操作が受付け可能になる。また、ロック解除エリアが解除時間よりも長い制限時間を超えて長押しされるとロックモードが継続される。これにより、水がかかった操作部が長押し状態となった場合にロックモードが継続される。
【００１１】
また本発明は、上記構成の調理器において、電磁誘導加熱により調理物を加熱する加熱部を備えたことを特徴としている。この構成によると、加熱部の電磁誘導加熱によって発生する電磁ノイズによる誤動作が防止される。
【００１２】
また本発明は、上記構成の調理器において、前記ロックモード時に前記制限時間よりも長く前記ロック解除エリアを押し続けた際に報知を行う報知部を設けたことを特徴としている。
【００１３】
また本発明は、上記構成の調理器において、米及び水を入れた内釜を出し入れする開口部を上面に有し、前記開口部を開閉する蓋部の上面に前記操作部を配置したことを特徴としている。この構成によると、調理器が炊飯器を構成し、米及び水を入れた内釜を設置して上面の蓋部が閉じられると炊飯が行われる。操作部は蓋部の上面に配されるため操作部にかかった水が止まり易く、水によって制限時間を超える長押し状態と判定されるとロックモードを継続する。
【発明の効果】
【００１４】
本発明によると、静電容量式タッチパネルから成る操作部に設けたロック解除エリアを所定の解除時間よりも長く押し続けた際にロックモードを解除し、解除時間よりも長い制限時間よりも長く押し続けた際にロックモードを継続する。これにより、操作部にかかった水によって操作部の長押しと誤認してロックモードが解除されることを防止し、電磁ノイズによる操作部の誤動作を防止することができる。
【図面の簡単な説明】
【００１５】
【図１】本発明の実施形態の炊飯器の蓋部を閉じた状態を示す斜視図
【図２】本発明の実施形態の炊飯器の蓋部を開いた状態を示す斜視図
【図３】本発明の実施形態の炊飯器の表示部及び操作部を示す平面図
【図４】本発明の実施形態の炊飯器の構成を示すブロック図
【図５】本発明の実施形態の炊飯器の操作部の制御動作を示すフローチャート
【発明を実施するための形態】
【００１６】
以下に本発明の実施形態を図面を参照して説明する。図１は一実施形態の調理器である炊飯器を示す斜視図である。炊飯器１は内釜１７（図２参照）を収納する本体部１０と本体部１０に枢支される蓋部２０とを備えている。蓋部２０の上面の前部には詳細を後述する操作部２６及び表示部２５が配される。蓋部２０の後部には蒸気の排気口２７が開口する。また、本体部１０の後部には商用電源に接続される電源コード４が設けられる。
【００１７】
図２は炊飯器１の蓋部２０を開いた状態を示す斜視図である。本体部１０は上面に開口部１０ａを開口し、開口部１０ａを介して米及び水を入れる内釜１７が収納される。内釜１７の周囲には電磁誘導加熱によって内釜１７を加熱する加熱部１５が配される。
【００１８】
本体部１０の前部には蓋部２０の前部に設けた係合爪２３に係合する係合部１８が設けられる。係合爪２３と係合部１８との係合状態は本体部１０に設けたロック機構１９によりロックされる。本体部１０の前面にはロック機構１９のロックを解除して蓋部２０を開く押しボタン１３が配される。
【００１９】
蓋部２０は後端を本体部１０に枢支されて開口部１０ａを開閉し、外蓋２１及び内蓋２２を有している。外蓋２１によって内蓋２２を保持するとともに本体部１０の上面が覆われ、内蓋２２によって内釜１７が密封される。
【００２０】
図３は表示部２５及び操作部２６の平面図を示している。表示部２５は液晶表示パネル等から成り、操作部２６による調理条件の設定画面、調理の進行状況、予約時刻等を表示する。操作部２６は複数の操作キー（２６ａ〜２６ｈ）を有した静電容量式タッチパネルから成り、調理条件の設定操作や開始操作等を行う。
【００２１】
炊飯スタートキー２６ａは炊飯の開始を指示する。洗米キー２６ｂは内釜１７に入れた米の炊飯前の攪拌部３１（図４参照）による洗米を指示する。予約キー２６ｃはタイマー３２（図４参照）による予約時刻の設定画面への移行及び予約の指示を行う。保温取消キー２６ｄは炊飯後の保温を指示するとともに、操作部２６による操作の取り消しを指示する。
【００２２】
料理選択キー２６ｅは炊飯以外の調理を行う際のメニューを表示部２５に一覧表示し、所望のメニューを選択する。炊飯選択キー２６ｆは白米、無洗米、玄米等の米の種類を表示部２５に一覧表示し、所望の米の種類を選択する。上キー２６ｇ及び下キー２６ｈは表示部２５の表示項目のカーソル移動や予約時刻の設定を行う。
【００２３】
図４は炊飯器１の構成を示すブロック図である。炊飯器１は各部を制御する制御部３０を有し、加熱部１５、攪拌部３１、タイマー３２、表示部２５、操作部２６、記憶部３３が接続される。記憶部３３はＲＯＭ及びＲＡＭから成り、炊飯器１の動作プログラムや操作部２６による設定条件を格納するとともに制御部３０による演算結果を一時記憶する。タイマー３２は予約キー２６ｃ（図３参照）で設定した予約時刻を計時するとともに、後述するように制御部３０による制御処理の計時を行うカウンタＴｆ、Ｔｔを備えている。
【００２４】
上記構成の炊飯器１において、米及び水を入れた内釜１７が本体部１０に収納され、内蓋２２を取り付けた蓋部２０が閉じられる。操作部２６の操作により炊飯が開始されると加熱部１５によって内釜１７が加熱される。これにより、内釜１７内の水が沸騰して炊飯が行われる。炊飯中に内釜１７から発生する蒸気は排気口２７を介して排気される。炊飯を開始して所定時間が経過すると加熱部１５による加熱が停止され、炊飯が終了する。
【００２５】
また、炊飯後に保温を行う設定の場合は炊飯が終了すると加熱部１５が炊飯時よりも低い電力で加熱される。これにより、内釜１７内が所定温度に維持され、炊きあがったご飯が保温される。
【００２６】
図５は操作部２６の制御動作を示すフローチャートである。炊飯器１の電源が入れられると同図に示す制御動作が行われ、操作部２６の操作に応じた処理が行われる。ステップ＃１１ではカウンタＴｆがリスタートされる。ステップ＃１２では操作部２６のキー操作が行われたか否かが判断される。キー操作が行われていない場合はステップ＃１３に移行する。
【００２７】
ステップ＃１３ではカウンタＴｆの計時が所定時間（本実施形態では３分）を超えたか否かが判断される。カウンタＴｆの計時が３分を超えていない場合はステップ＃１２に戻り、ステップ＃１２、＃１３が繰り返される。この間にキー操作が行われるとステップ＃１４でキー操作を受け付け、操作された操作キー２６ａ〜２６ｈに応じた処理が行われる。そして、ステップ＃１１に戻る。
【００２８】
ステップ＃１３の判断でカウンタＴｆの計時が３分を超えるとステップ＃２１に移行する。ステップ＃２１では操作部２６の操作を無効にして操作部２６の受け付けを禁止するロックモードに移行する。ロックモードは保温取消キー２６ｄが長押しされた場合に解除されるようになっている。即ち、保温取消キー２６ｄはロックモードを解除するロックモード解除エリアを構成する。操作部２６の他の操作キーや領域をロックモード解除エリアに割り当ててもよい。
【００２９】
ステップ＃２２では保温取消キー２６ｄが押下されるまで待機する。これにより、他の操作キーが押下されても処理が移行されないようになっている。保温取消キー２６ｄが押下されるとステップ＃２３でカウンタＴｔがリスタートされる。
【００３０】
ステップ＃２４ではカウンタＴｔの計時が予め設定される所定の制限時間（本実施形態では１０秒）よりも長いか否かが判断される。制限時間は後述する解除時間よりも長く設定される。カウンタＴｔの計時が１０秒以下の場合はステップ＃２５で保温取消キー２６ｄが離されたか否かが判断される。保温取消キー２６ｄが離されていない場合はステップ＃２４に戻り、ステップ＃２４、＃２５が繰り返される。
【００３１】
カウンタＴｔの計時が１０秒を超えると、操作部２６にかかった水により操作部２６が継続して押下された状態と判断する。このため、ステップ＃２２に戻り、ロックモードが継続される。この時、表示部２５（報知部）によって「操作部上の水を拭き取って下さい」等のメッセージを表示して使用者に報知するとより望ましい。
【００３２】
ステップ＃２５の判断で保温取消キー２６ｄが離されるとステップ＃２６に移行する。ステップ＃２６ではカウンタＴｔの計時が予め設定される所定の解除時間（本実施形態では１秒）よりも短いか否かが判断される。カウンタＴｔの計時が１秒よりも短い場合は誤操作と判断してステップ＃２２に戻り、ロックモードが継続される。
【００３３】
カウンタＴｔの計時が１秒以上の場合は、保温取消キー２６ｄが解除時間よりも長く制限時間よりも短い時間だけ長押しされている。これにより、ステップ＃２７に移行してロックモードが解除され、ステップ＃１１に戻る。
【００３４】
本実施形態によると、静電容量式タッチパネルから成る操作部２６の保温取消キー２６ｄ（ロック解除エリア）を解除時間（１秒）よりも長く押し続けた際にステップ＃２７でロックモードを解除する。また、ステップ＃２４の判断で保温取消キー２６ｄを制限時間（１０秒）よりも長く押し続けた際にロックモードを継続する。これにより、操作部２６にかかった水によって操作部２６の長押しと誤認してロックモードが解除されることを防止し、電磁ノイズによる操作部２６の誤動作を防止することができる。
【００３５】
また、電磁誘導加熱により調理物を加熱する加熱部１５が電磁ノイズを発生し易いため、電磁ノイズによる誤動作を防止してより大きな効果を奏することができる。
【００３６】
また、ステップ＃２４の判断で制限時間を超えた際に報知を行う表示部２５（報知部）を設けると、使用者に操作の無効を認知させることができる。従って、炊飯器１の利便性を向上することができる。
【００３７】
また、本体部１０の上面の開口部１０ａを開閉する蓋部２０の上面に操作部２６が配されるため、操作部２６にかかった水が止まり易い。このため、水によってロックモードが解除されることによる誤動作の防止によって大きな効果を奏することができる。
【００３８】
本実施形態において、炊飯器１について説明しているが、調理物の調理を行う調理器であれば同様に操作部２６を動作制御して同様の効果を得ることができる。この時、本実施形態と同様に電磁誘導加熱によって調理物を加熱する調理器において特に電磁ノイズによる誤動作防止による大きな効果を奏する。また、高周波を発生するマグネトロンによって調理物を加熱する調理器においても同様に、マグネトロンから発生する電磁ノイズによる誤動作を防止できるため大きな効果を奏する。
【産業上の利用可能性】
【００３９】
本発明によると、静電容量式のタッチパネルを備えた調理器に利用することができる。
【符号の説明】
【００４０】
１    炊飯器
１０    本体部
１５    加熱部
１７    内釜
２０    蓋部
２１    外蓋
２２    内蓋
２５    表示部
２６    操作部
２７    排気口
３０    制御部
３１    攪拌部
３２    タイマー
３３    記憶部
【図１】
2014014394.tif 000003
【図２】
2014014394.tif 000004
【図３】
2014014394.tif 000005
【図４】
2014014394.tif 000006
【図５】
2014014394.tif 000007